(57)【特許請求の範囲】
【請求項１】
各エリアの鍵を格納するキーボックス内の鍵の格納状況を示す２値の監視信号を発生する監視手段と、複数の前記エリアを第１及び第２のグループに区分する設定手段と、前記監視手段の監視信号に基づいて前記エリアに対応する負荷を制御するための監視データを作成する制御手段と、前記第１及び第２のグループの前記エリアが共用する第１及び第２の共用部に配設された負荷及び前記エリアに対応する負荷を制御する制御用端末器と２線式の伝送線を介して接続された伝送処理装置に前記伝送線を介して接続され前記伝送処理装置から前記伝送線を介して時分割多重信号で伝送されるアドレスデータを含む伝送信号を受信するとともに信号返送期間に監視データを返送する送受信手段と、下位の端末器からの入力接点信号が入力されるとともに、前記入力接点信号及び前記監視手段の監視信号の論理和を出力接点信号として上位の端末器へ出力する送り入出力手段とを備え、前記制御手段が前記監視手段の前記第１のグループに属する前記エリアの監視信号の論理和に基づいて前記第１の共用部の負荷を制御するための監視データを作成するとともに、前記監視手段の前記第２のグループに属する前記エリアの監視信号の論理和に基づいて前記第２の共用部の負荷を制御するための監視データを作成することを特徴とする遠隔監視制御システムに用いるキーボックス用端末器。
【請求項２】
前記エリアがビルに入居したテナントであって、前記第１及び第２の共用部が前記テナントが共用する部分であることを特徴とする請求項１記載の遠隔監視制御システムに用いるキーボックス用端末器。
【請求項３】
前記出力接点信号がラッチングリレーのリレー接点信号であることを特徴とする請求項１  記載の遠隔監視制御システムに用いるキーボックス用端末器。
【発明の詳細な説明】
【０００１】
【発明の属する技術分野】
本発明は、遠隔監視制御システムに用いるキーボックス用端末器に関するものである。
【０００２】
【従来の技術】
従来より、例えばビルに入居しているテナントの鍵を格納するキーボックスのテナント毎の鍵の格納状況を示す監視信号としての無電圧接点信号に基づいて、各テナントや共用部の照明や空調等の負荷を制御するキーボックス用端末器を遠隔監視制御システムに用いたものがあった。
【０００３】
例えば、図８に示すような遠隔監視制御システムがあり、ビル内のテナントの鍵を格納するキーボックス２と、キーボックス２から各テナントの鍵の格納状況を示す複数の無電圧接点信号が入力される１６個の入力端子１１ａを備えたキーボックス用端末器１と、スイッチ３ａを備えた操作用端末器３と、リモコンリレー４ａ，４ａに接続された照明や空調等の負荷を制御する制御用端末器４と、キーボックス用端末器１と操作用端末器３及び制御用端末器４が２線式の伝送線７を介して接続された伝送制御装置５と、負荷及びキーボックス用端末器１に電源を供給するトランス６とから構成されている。
【０００４】
ここで、キーボックス用端末器１は１６個の入力端子１１ａの内、キーボックス２からの無電圧接点信号が入力されている入力端子１１ａを示す４ビットのディップスイッチ（図示せず）を備えており、例えばビルの同じ階に入居したｎ個（１≦ｎ≦１６）のテナントの鍵の格納状況を示す無電圧接点信号が１〜ｎの入力端子１１ａに入力されている場合、ディップスイッチはｎに設定される。
【０００５】
この時、キーボックス用端末器１は、１〜ｎの入力端子１１ａに接続された無電圧接点信号に基づいて各テナントの鍵の格納状況を監視し、各テナントに該当する区域の照明や空調等の負荷を制御するとともに、１〜ｎの入力端子１１ａに接続された無電圧接点信号の論理和に基づいて、ｎ個のテナントが共用するエレベータホールや廊下等の共用部の照明や空調等の負荷を制御している。ところで、１台の制御用端末器４は４個の負荷を制御することができるので、このキーボックス用端末器１では１６個の入力端子１１ａに対して４個のアドレスを設け、各アドレスを１〜４，５〜８，９〜１２，１３〜１６の各４個の入力端子１１ａに割り当て、夫々の入力端子１１ａに対応するテナントの該当区域の負荷を制御している。また、共用部についても各テナントとは別に一個のアドレスを設定し、共用部の負荷を制御している。
【０００６】
このような遠隔監視制御システムでは、伝送制御装置５から図９（ａ）に示すような形式を有した伝送信号Ｖｓを送出することにより、各端末器１，３，４との間でデータを授受する。すなわち、伝送信号Ｖｓは、信号の送出開始を示すスタートパルスＳＴ、信号のモードを示すモードデータＭＤ、端末器１，３，４を個別に認識するためのアドレスデータＡＤ、照明や空調等の負荷への制御内容を示す制御データＣＤ、伝送誤りを検出するチェックサムデータのようなエラー訂正符号ＣＳ、端末器１，３，４からの返送期間を設定する信号返送期間ＷＴよりなる双極性（±２４Ｖ）の時分割多重信号であり、パルス幅変調によってデータが伝送されるようになっている。各端末器１，３，４では、伝送線７を介して受信した伝送信号ＶｓのアドレスデータＡＤに含まれるアドレスがあらかじめ設定されているアドレスと一致したときに、その伝送信号Ｖｓの制御データＣＤを取り込むとともに、伝送信号Ｖｓの信号返送期間ＷＴに同期して監視データを電流モード信号（伝送線７の線間を適当な低インピーダンスを介して短絡して送出される信号）として返送するようになっている。
【０００７】
一方、伝送制御装置５には、ダミー信号送信手段と、割込み処理手段とが設けられている。ダミー信号送信手段は、モードデータＭＤをダミーモードとしてアドレスデータＡＤをサイクリックに変えた伝送信号Ｖｓを常時送出する。また、割込み処理手段では、ダミーモードの伝送信号ＶｓのスタートパルスＳＴに同期してキーボックス用端末器１や操作用端末器３から図９（ｂ）に示すような割込み信号Ｖｉが発生したときに、キーボックス用端末器１や操作用端末器３をアクセスして監視データとともにアドレスデータを監視データとして返送させるようになっている。
【０００８】
伝送制御装置５では、上述のようにしてキーボックス用端末器１や操作用端末器３からのアドレスデータを受け取ると、アドレスによる対応関係があらかじめ設定されている制御用端末器４への制御データＣＤを監視データに基づいて作成し伝送線７を介して時分割多重伝送する。すなわち、指定された制御用端末器４に接続されている照明や空調等の負荷が制御データＣＤに応じて点灯／消灯されたり、調光されたりするのである。ここに、各端末器３，４の動作用の電源は、上記伝送信号Ｖｓを全波整流することによって得られている。
【０００９】
以上より、図７に示すように、キーボックス２からキーボックス用端末器１にテナントの鍵が取り出されたことを示す無電圧接点信号が入力されると、キーボックス用端末器１は割り込み信号Ｖｉを遠隔監視制御システム９に送出する。遠隔監視制御システム９では、割込み信号Ｖｉを受信した伝送制御装置５が伝送信号Ｖｓを送出し、信号返送期間にキーボックス用端末器１からテナントの鍵が取り出されたとこを示す監視データとアドレスデータとを受信する。伝送制御装置５には受信したアドレスデータに対し制御データＣＤを伝送すべき相手方のアドレスデータが格納されており、このアドレスデータＡＤを含む伝送信号Ｖｓを送出することによって目的の制御用端末器４に制御データＣＤを伝送してテナントに該当する区域や共用部の照明や空調等の負荷を制御している。
【００１０】
【発明が解決しようとする課題】
上記構成のキーボックス用端末器１は１台で最大１６個のテナントからの無電圧接点信号を監視でき、１つの共用部の照明や空調等の負荷を制御することができるが、共用部の数が多い場合は共用部の数だけキーボックス用端末器１を設ける必要があるという問題点があった。また、１つの共用部を共用するテナントの無電圧接点信号の数が１６個を超える場合、このキーボックス用端末器１では対応できないという問題点もあった。
【００１１】
本発明は上記問題点に鑑みて為されたものであり、その目的とするところは、１台で２つの共用部の負荷を制御することができ、且つ、端末器の増設が可能なキーボックス用端末器を提供することを目的とするものである。
【００１２】
【課題を解決するための手段】
請求項１の発明では、上記目的を達成するために、各エリアの鍵を格納するキーボックス内の鍵の格納状況を示す２値の監視信号を発生する監視手段と、複数のエリアを第１及び第２のグループに区分する設定手段と、監視手段の監視信号に基づいてエリアに対応する負荷を制御するための監視データを作成する制御手段と、第１及び第２のグループのエリアが共用する第１及び第２の共用部に配設された負荷及びエリアに対応する負荷を制御する制御用端末器と２線式の伝送線を介して接続された伝送処理装置に伝送線を介して接続され伝送処理装置から伝送線を介して時分割多重信号で伝送されるアドレスデータを含む伝送信号を受信するとともに信号返送期間に監視データを返送する送受信手段と、下位の端末器からの入力接点信号が入力されるとともに、入力接点信号及び監視手段の監視信号の論理和を出力接点信号として上位の端末器へ出力する送り入出力手段とを備え、制御手段が監視手段の第１のグループに属するエリアの監視信号の論理和に基づいて第１の共用部の負荷を制御するための監視データを作成するとともに、監視手段の第２のグループに属するエリアの監視信号の論理和に基づいて第２の共用部の負荷を制御するための監視データを作成しているので、１台のキースイッチ用端末器で第１及び第２の共用部に対応する入力端子を設定することができる。しかも、下位の端末器からの入力接点信号が入力されるとともに、入力接点信号及び監視手段の監視信号の論理和を出力接点信号として上位の端末器へ出力する送り入出力手段を備えているので、端末器を増設することができる。
【００１３】
請求項２の発明では、請求項１の発明において、エリアがビルに入居したテナントであって、第１及び第２の共用部がテナントが共用する部分であるので、１台のキースイッチ用端末器でビル内の２ヵ所の共用部に対応する入力端子を設定することができる。
【００１４】
請求項３の発明では、請求項１の発明において、出力接点信号がラッチングリレーのリレー接点信号であるので、停電等が発生しても接点信号を保持することができる。
【００１５】
【発明の実施の形態】
本発明の実施の形態を図面を参照して説明する。
（実施形態１）
本実施形態のキーボックス用端末器は、図３のブロック図に示すように、キーボックスの無電圧接点２１からエリアたる各テナントの鍵の格納状況を示す監視信号たる無電圧接点信号が入力される監視手段としての接点入力部回路１１と、増設された下位側のキーボックス用端末器１から鍵の格納状態を示す入力接点信号が入力されるとともに上位側のキーボックス用端末器１へ鍵の格納状態を示す出力接点信号を出力する送り入出力手段としての送り入出回路１３と、無電圧接点２１からの無電圧接点信号を第１，第２の共用部に対応した第１及び第２のグループに区分する設定手段としてのディップスイッチ１２と、共用部及びテナントのアドレスを設定する光アドレス設定回路１４と、光アドレス設定回路１４によって設定されたアドレスなどを記憶するメモリ１６と、接点入力部回路１１の監視信号及び送り入出力回路１３の入力接点信号に基づいて各テナント及び共用部の負荷を制御するための監視データを発生するマイコンからなる制御手段としての制御回路１７と、制御回路１７の監視データを伝送線を介して伝送制御装置５へ伝送する送受信手段としてのフル２線信号送受信回路１５と、各回路の動作電源を供給する電源回路１８とから構成されている。
【００１６】
また、キーボックス用端末器１は、図１及び図２に示すように、キーボックスから各テナントの鍵の格納状況を示す監視信号たる無電圧接点信号が入力される１６個の入力端子１１ａと、各入力端子１１ａに接続された無電圧接点信号を共用部毎に区分するディップスイッチ１２と、共用部及び入力端子１１ａのアドレスが光アドレス設定器（図示せず）によって夫々設定される光アドレス設定部１４ａと、各アドレス設定部１４ａのアドレス設定が終了したことを示す設定完了表示部１４ｂと、キーボックス用端末器１の増設時に下位側のキーボックス用端末器１から鍵の格納状況を示す入力接点信号が入力される送り入力接点１３ｂと、上位側のキーボックス用端末器１へ鍵の格納状況を示す出力接点信号を出力する送り出力接点１３ａと、２線式の伝送線７が接続されるフル２線信号端子部１５ａと、電源が入力される電源端子部１８ａとから構成されている。
【００１７】
ここで、ディップスイッチ１２は、入力端子１１ａを第１及び第２の共用部に対応した第１及び第２のグループに区分する各４ビットの第１及び第２共用部用ディップスイッチ１２ａ，１２ｂから構成されており、第１の共用部を共用するテナントＴ１〜Ｔｎの無電圧接点信号が１〜ｎの入力端子１１ａに、第２の共用部を共用するテナントＴ（ｎ＋１）〜Ｔｍの無電圧接点信号が（ｎ＋１）〜ｍの入力端子１１ａに接続されている場合（１≦ｎ＜ｍ≦１６）、第１の共用部用ディップスイッチ１２ａをｎに、第２の共用部用ディップスイッチ１２ｂをｍに設定し、第１のグループに属する１〜ｎの入力端子１１ａの無電圧接点信号の論理和に基づいて第１の共用部の照明や空調等の負荷を制御するとともに、第２のグループに属する（ｎ＋１）〜ｍの入力端子１１ａの無電圧接点信号の論理和に基づいて第２の共用部の負荷を制御している。また、光アドレス設定部１４ａ及び設定完了表示部１４ｂはそれぞれ５個づつ設けられており、１個の光アドレス設定部１４ａは共用部のアドレス設定用に、残り４個の光アドレス設定部１４ａが１〜４，５〜８，９〜１２，１３〜１６の各４個の入力端子１１ａに対応したテナントのアドレス設定用に使用されている。このように、第１及び第２共用部用ディップスイッチ１２ａ，１２ｂを用いて入力端子１１ａを第１及び第２の共用部に対応した第１及び第２のグループに区分し、１台のキーボックス用端末器１で２つの共用部の負荷を制御することができる。
【００１８】
ここで、キーボックス用端末器１を増設した場合、キーボックス用端末器１では下位側のキーボックス用端末器１から送り入力接点１３ｂに入力された入力接点信号と、入力端子１１ａに入力されたキーボックス２の無電圧接点信号との論理和をとり、送り出力接点１３ａから出力接点信号として上位側のキーボックス用端末器１へ出力している。すなわち、下位側のキーボックス用端末器１が鍵の格納状態を監視しているテナントで鍵が取り出されるか、又は、自機が鍵の格納状態を監視しているテナントで鍵が取り出された場合、送り出力接点１３ａを開から閉としている。そして、最上位のキーボックス用端末器１が、下位側のキーボックス用端末器１から入力された入力接点信号と入力端子１１ａに入力されたキーボックス２の無電圧接点信号とに基づいて共用部の負荷を制御するための監視データを伝送制御装置５へ伝送している。１つの遠隔監視制御システムでは最大２５６個の照明等の負荷を制御することができるので、キーボックス用端末器１を増設することにより最大２５６個のテナントの鍵の格納情報を示す無電圧接点信号を監視して、各テナント及び共用部に対応する負荷を制御することができる。なお、送り出力接点１３ａはラッチングリレーのリレー接点から構成されているので、停電等の事故が発生しても、その接点状態を保持することが出来る。
【００１９】
ところで、キーボックス用端末器１は図４に示す遠隔監視制御システムに用いられており、例えば、ビルの１階（１Ｆ）から４階（４Ｆ）に入居したエリアとしてのテナントＴ１〜Ｔ１６の鍵を格納する２台のキーボックス２，２’と、キーボックス２，２’から各テナントＴ１〜Ｔ１６の鍵の格納状況を示す無電圧接点信号が入力されるキーボックス用端末器１，１’と、各階のテナントが共用するエレベータホールや廊下などの第１〜第４の共用部Ａ１〜Ａ４に配設された照明や空調などの負荷を制御する制御用端末器（図示せず）と、キーボックス用端末器１，１’及び制御用端末器が２線式の伝送線７を介して接続される伝送制御装置５と、キーボックス用端末器１，１’に動作電源を供給するトランス６とから構成されている。なお、遠隔監視制御システムの伝送信号は従来の技術で説明したとおりであるので、その説明は省略する。
【００２０】
ここで、キーボックス用端末器１の１〜８の入力端子には、キーボックス２から３，４階に入居するテナントＴ１〜Ｔ８の鍵の格納状況を示す無電圧接点信号が入力され、第１の共用部用ディップスイッチは４に、第２の共用部用ディップスイッチは８に設定されており、テナントＴ１〜Ｔ４，Ｔ５〜Ｔ８に対応した無電圧接点信号に基づいて第１，第２の共用部Ａ１，Ａ２の負荷を制御している。また、キーボックス用端末器１’の１〜８の入力端子には、キーボックス２’から１，２階に入居するテナントＴ９〜Ｔ１６の鍵の格納状況を示す無電圧接点信号が入力され、第１の共用部用ディップスイッチは４に、第２の共用部用ディップスイッチは８に設定されており、テナントＴ９〜Ｔ１２，Ｔ１３〜Ｔ１６に対応した無電圧接点信号に基づいて第３，第４の共用部Ａ３，Ａ４の負荷を制御している。
【００２１】
例えば、第１の共用部Ａ１を共用する４階のテナントＴ１〜Ｔ４の鍵が全てキーボックス２に格納されている場合、キーボックス用端末器１の制御回路はキーボックス２からの無電圧接点信号に基づいて４階にある第１の共用部Ａ１の負荷を停止させるための監視データを伝送制御装置５へ伝送している。そして、テナントＴ２の鍵がキーボックス２から取り出されると、キーボックス用端末器１は伝送線７を介して割り込み信号Ｖｉを送出し、テナントＴ２の該当区域及び第１の共用部Ａ１の負荷を作動させるための監視データを伝送信号Ｖｓの信号返送期間に返送する。伝送制御装置５はキーボックス用端末器１から監視データを受信すると、テナントＴ２の該当区域及び第１の共用部Ａ１の負荷に対応する制御用端末器に夫々制御データを送出して、テナントＴ２の該当区域及び第１の共用部Ａ１の負荷を作動させている。さらに、テナントＴ１〜Ｔ４の鍵が全てキーボックス２に格納されると、キーボックス用端末器１は同様にして最後に鍵が格納されたテナントの該当区域と第１の共用部Ａ１の負荷を停止させるための監視データを伝送制御装置５に送出し、伝送制御装置５は対応する制御用端末器に制御データを送出して当該テナントの該当区域と第１の共用部Ａ１の負荷を停止させている。
【００２２】
ここで、このキーボックス用端末器１の動作を図４及び図５を用いて説明する。キーボックス２から例えば４階のテナントＴ２の鍵が取り出されると（図５のＡ）、テナントＴ２の鍵の格納状況を示す無電圧接点が閉から開に切り換わる（図５のＢ）。そして、４階にある他のテナントＴ１，Ｔ３，Ｔ４の鍵の格納状況を調べ（図５のＣ）、４階のテナントＴ１〜Ｔ４の中でテナントＴ２の鍵が最初に取り出された場合は、４階の第１の共用部Ａ１及びテナントＴ２に該当する区域の照明や空調等の負荷を作動させるための監視データを伝送制御装置５に伝送するとともに、送り出力接点１３ａを開から閉に切り換える（図５のＤ，Ｅ）。一方、４階の他のテナントＴ１，Ｔ３，Ｔ４の鍵のいずれかが既に取り出されている場合は、テナントＴ２に該当する区域の負荷のみを作動させるための監視データを伝送する（図５のＥ）。また、図５のＡでテナントＴ２の鍵がキーボックスに格納された場合、テナントＴ２の鍵の格納状況を示す無電圧接点が開から閉に切り換わる（図５のＩ）。そして、４階にある他のテナントＴ１，Ｔ３，Ｔ４の鍵の格納状況を調べ（図５のＧ）、４階のテナントＴ１〜Ｔ４の中でテナントＴ２の鍵が最後に格納された場合は、４階の第１の共用部Ａ１及びテナントＴ２の該当区域の負荷をそれぞれ停止させるための監視データを伝送制御装置５に伝送するとともに、送り出力接点１３ａを閉から開に切り換える（図５のＨ，Ｌ）。一方、４階の他のテナントＴ１，Ｔ３，Ｔ４の鍵のいずれかが依然として取り出されている場合は、テナントＴ２に該当する負荷のみを停止させるための監視データを伝送する（図５のＬ）。
【００２３】
また、キーボックスに一つの共用部を共用するテナントＴ１〜Ｔ３の鍵が格納されており、テナントＴ１〜Ｔ３の鍵の格納状態に基づいて各テナントＴ１〜Ｔ３に該当する区域及び共用部の照明が点灯／消灯される場合、図６に示すように、時刻ｔ1 でテナントＴ１の鍵（図６のＡ）が初めて取り出されると、共用部（図６のＧ）とテナントＴ１（図６のＤ）の該当区域の照明が点灯される。そして、時刻ｔ2 ，ｔ3 でテナントＴ２（図６のＢ），Ｔ３（図６のＣ）の鍵が取り出されるとテナントＴ２（図６のＥ），Ｔ３（図６のＦ）の該当区域の照明が夫々点灯される。一方、時刻ｔ4 ，ｔ5 でテナントＴ１，Ｔ３の鍵が格納されるとテナントＴ１，Ｔ３の該当区域の照明が夫々消灯され、時刻ｔ6 でテナントＴ２の鍵が最後に格納されると、共用部及びテナントＴ２の該当区域の照明が夫々消灯される。
【００２４】
【発明の効果】
請求項１の発明は、上述のように、各エリアの鍵を格納するキーボックスのエリア毎の鍵の格納状況を示す監視信号が接続される複数の入力端子と、複数の入力端子を第１及び第２のグループに区分する所定ビット数の第１及び第２の共用部用ディップスイッチとを備え、第１のグループ内の入力端子に入力された監視信号の論理和に基づいて第１のグループに対応したエリアが共用する第１の共用部の負荷を制御するとともに、第２のグループ内の入力端子に入力された監視信号の論理和に基づいて第２のグループに対応したエリアが共用する第２の共用部の負荷を制御しており、１台のキースイッチ用端末器で第１及び第２の共用部に対応する入力端子を区分することができるので、１台のキースイッチ用端末器で２ヵ所の共用部の負荷を制御できるという効果がある。さらに下位の端末器からの入力接点信号が入力されるとともに、入力接点信号及び監視手段の監視信号の論理和を出力接点信号として上位の端末器へ出力する送り入出力手段を備えているので、一つの遠隔監視制御システムで最大２５６の監視信号を監視できるという効果がある。
【００２５】
請求項２の発明は、エリアがビルに入居したテナントであって、第１及び第２の共用部がテナントが共用する部分であり、１台のキースイッチ用端末器でビル内の２ヵ所の共用部に対応する入力端子を区分することができるので、１台のキースイッチ用端末器で各テナントが共用する２ヵ所の共用部の負荷を制御できるという効果がある。
【００２６】
請求項３の発明は、出力接点信号がラッチングリレーのリレー接点信号であるので、停電等が発生しても接点信号を保持できるので、遠隔監視制御システムの誤動作を防止できるという効果がある。
【図面の簡単な説明】
【図１】実施形態１の遠隔監視制御システムに用いるキーボックス用端末器を示す正面図である。
【図２】同上の要部拡大図である。
【図３】同上のキーボックス用端末器を示すブロック図である。
【図４】同上の概略構成図である。
【図５】同上の動作を示すフローチャートである。
【図６】同上の動作を示すタイムチャートである。
【図７】従来のキーボックス用端末器を示すブロック図である。
【図８】同上のキーボックス用端末器を示す概略構成図である。
【図９】（ａ）（ｂ）は同上の遠隔監視制御システムに用いる伝送信号を示す波形図である。
【符号の説明】
１      キーボックス用端末器
１１ａ  入力端子
１２    ディップスイッチ
【図１】
0003543487.tif 000002
【図２】
0003543487.tif 000003
【図３】
0003543487.tif 000004
【図４】
0003543487.tif 000005
【図５】
0003543487.tif 000006
【図６】
0003543487.tif 000007
【図７】
0003543487.tif 000008
【図８】
0003543487.tif 000009
【図９】
0003543487.tif 000010